(57)【要約】      （修正有）【課題】２線からなる別個の伝送線路によりそれぞれ接続される玄関子機および第１の居室親機の間、玄関子機および第２の居室親機の間を無極性化とし、極性に関係なく呼び出し、通話の動作を行う。【解決手段】二世帯玄関子機３の第１の呼出回路３００にて呼出操作が行われると、第１のリレーのセットコイル３０２ａの駆動により切り替えられる第１のリレーの第１接点３０２ａが通話回路３１１の一端に接続されるばかりでなく第１のリレーの第２接点３０２ｄと通話回路の一端との接続が切断されるとともに、第２のリレーのリセットコイル３０３ｂの駆動により切り替えられる第２のリレーの第１接点３０３ｃが通話回路の他端に接続されるばかりでなく第２のリレーの第２接点３０３ｄと通話回路の他端との接続が切断される。これにより、居室親機２の送受話機能との間の通話ラインが形成され通話を成立させることができる。【選択図】図１
2006211516.tif 000002
【特許請求の範囲】
【請求項１】
第１世帯に設置される第１の居室親機（１）および第２世帯に設置される第２の居室親機（２）と、前記第１の居室親機および第２の居室親機双方に伝送線路（Ｌ1、Ｌ2）を介して接続され、前記居室親機のそれぞれへの呼び出しを行うための第１、第２の各呼出回路（３００、３０１）をそれぞれ有し、前記居室親機のそれぞれとの間で通話を成立させるための通話回路（３１１）を共用した二世帯玄関子機（３）とから構成され、
前記二世帯玄関子機は、前記第１の呼出回路にて行われる呼出操作により駆動される第１のリレーのセットコイル（３０２ａ）および第２のリレーのリセットコイル（３０３ｂ）と、前記第２の呼出回路にて行われる呼出操作により駆動される第１のリレーのリセットコイル（３０２ｂ）および第２のリレーのセットコイル（３０３ａ）と、前記第１の呼出回路にて呼出操作が行われ前記第１のリレーのセットコイルが駆動したとき、前記第１の呼出回路側の居室親機と前記通話回路とを接続させるとともに、前記第２の呼出回路にて呼出操作が行われ前記第２のリレーのセットコイルが駆動したとき、前記第１の呼出回路側の居室親機と前記通話回路との接続を切断するために切り替えられる第１のリレーの第１接点（３０２ｃ）と、前記第２の呼出回路にて呼出操作が行われ前記第２のリレーのセットコイルが駆動したとき、前記第２の呼出回路側の居室親機と前記通話回路とを接続させるとともに、前記第１の呼出回路にて呼出操作が行われ前記第１のリレーのセットコイルが駆動したとき、前記第２の呼出回路側の居室親機と前記通話回路との接続を切断するために切り替えられる第１のリレーの第２接点（３０２ｄ）と、前記第１の呼出回路にて呼出操作が行われ前記第２のリレーのリセットコイルが駆動したとき、前記第１の呼出回路側の居室親機と前記通話回路とを接続させるとともに、前記第２の呼出回路にて呼出操作が行われ前記第１のリレーのリセットコイルが駆動したとき、前記第１の呼出回路側の居室親機と前記通話回路との接続を切断するために切り替えられる第２のリレーの第１接点（３０３ｃ）と、前記第２の呼出回路にて呼出操作が行われ前記第１のリレーのリセットコイルが駆動したとき、前記第２の呼出回路側の居室親機と前記通話回路とを接続させるとともに、前記第１の呼出回路にて呼出操作が行われ前記第２のリレーのリセットコイルが駆動したとき、前記第２の呼出回路側の居室親機と前記通話回路との接続を切断するために切り替えられる第２のリレーの第２接点（３０３ｄ）とを備え、
前記第１のリレーの第１接点および前記第１のリレーの第２接点を前記通話回路の一端に接続し、前記第２のリレーの第１接点および前記第２のリレーの第２接点を前記通話回路の他端に接続することにより、前記伝送線路の無極性化を可能にしたことを特徴とするインターホン装置。
【発明の詳細な説明】
【技術分野】
【０００１】
本発明はインターホン装置に係り、特に、第１世帯に設置される第１の居室親機および第２世帯に設置される第２の居室親機のうち何れか１の居室親機を呼び出して通話を成立させるための二世帯玄関子機と当該第１の居室親機および第２の居室親機との間の接続を無極性化させたインターホン装置に関する。
【背景技術】
【０００２】
従来から、この種のインターホン装置として、例えば、親世帯に設置される親機（以下、第１の居室親機という。）および子世帯に設置される親機（以下、第２の居室親機という。）のうち何れか１の居室親機について、共用玄関に設置される玄関子機（以下、二世帯玄関子機という。）から呼び出して通話を成立させることができる二世帯用ドアホン装置が開示されている（例えば、非特許文献１を参照。）。
【０００３】
また、従来例の二世帯用ドアホン装置において、共用玄関に設置される二世帯玄関子機として図２のブロック図に示す構成の二世帯玄関子機３'が提案されており、親世帯に設置される第１の居室親機１’を呼び出すための呼出操作が行われる第１の呼出回路３００には第１のリレーの第１接点３０２ｃ’および第２のリレーの第１接点３０３ｃ’が割り当てられ、子世帯に設置される第２の居室親機２’を呼び出すための呼出操作が行われる第２の呼出回路３０１には第１のリレーの第２接点３０２ｄ’および第２のリレーの第２接点３０３ｄ’が割り当てられるように、第１、第２の各呼出回路３００、３０１毎に２個ずつの独立したリレー（ラッチングリレー）がそれぞれ割り当てられており、２個ずつの独立したリレーのうち何れか一方のリレーをオン、他方のリレーをオフさせることによって第１の居室親機１’または第２の居室親機２’を呼び出して呼出先の当該居室親機と通話回路３１１とを接続させていた。
【０００４】
【非特許文献１】アイホン総合カタログ２００４／２００５年版（５５頁）
【発明の開示】
【発明が解決しようとする課題】
【０００５】
しかしながら、従来例の二世帯用ドアホン装置によれば、第１、第２の各居室親機１’、２’のうち、ここでは、図２のシステム説明図に示すように第２の居室親機２’の極性を逆とし、第２の居室親機２’の電源が第２の伝送線路Ｌ2’を構成する一方のラインＬ2a'を介して二世帯玄関子機３’の第４の子機端子Ｔ4に接続されている一方、第２の居室親機２’の基準電位点へと接続される第２の伝送線路Ｌ2’を構成する他方のラインＬ2b'が二世帯玄関子機３’の第３の子機端子Ｔ3に接続されている場合において、輸送等により二世帯玄関子機３’へと衝撃が加わり、第１のリレーの第１接点３０２ｃ’を構成するセット側Ｐ1a'、第１のリレーの第２接点３０２ｄ’を構成するセット側Ｐ2a'、第２のリレーの第１接点３０３ｃ’を構成するセット側Ｐ3a’および第２のリレーの第２接点３０３ｄ’を構成するセット側Ｐ4a'がそれぞれ誤作動によって閉成されると、第１の居室親機１’から供給される電源が、第１の伝送線路Ｌ1'を構成する一方のラインＬ1a'、二世帯玄関子機３’の第１の子機端子Ｔ1、第１のリレーの第１接点３０２ｃ’を構成するコモン側Ｐ1c'、閉成されたセット側Ｐ1a'、第１のリレーの第２接点３０２ｄ’を構成する閉成されたセット側Ｐ2a'、コモン側Ｐ2c'、第３の子機端子Ｔ3、第２の伝送線路Ｌ2'を構成する他方のラインＬ2b'を介して第２の居室親機２’の基準電位点へと流れ込まれる一方、第２の居室親機２’から供給される電源についても、第２の伝送線路Ｌ2'を構成する一方のラインＬ2a'、二世帯玄関子機３’の第４の子機端子Ｔ4、第２のリレーの第２接点３０３ｄ’を構成するコモン側Ｐ4c'、閉成されたセット側Ｐ4a'、第２のリレーの第１接点３０３ｃ’を構成する閉成されたセット側Ｐ3a'、コモン側Ｐ3c'、第２の子機端子Ｔ2、第１の伝送線路Ｌ1'を構成する他方のラインＬ1b'を介して第１の居室親機１’の基準電位点へと流れ込まれるように、第１の呼出回路３００にて行われる呼出操作により駆動される第１のリレーのセットコイル３０２ａ’および第２のリレーのリセットコイル３０３ｂ’、第２の呼出回路３０１にて行われる呼出操作により駆動される第１のリレーのリセットコイル３０２ｂ’および第２のリレーのセットコイル３０３ａ’へと電源供給されず動作しなくなるため、第１、第２の各伝送線路Ｌ1'、Ｌ2'を無極性化できなかった。
【０００６】
本発明は、前述の難点を解消するためになされたもので、２線からなる別個の伝送線路によりそれぞれ接続される玄関子機および第１の居室親機の間、玄関子機および第２の居室親機の間を無極性化とし、極性に関係なく呼び出し、通話の動作を行うことができるインターホン装置を提供することを目的としている。
【課題を解決するための手段】
【０００７】
前述の目的を達成するため、本発明のインターホン装置は、第１世帯に設置される第１の居室親機および第２世帯に設置される第２の居室親機と、第１の居室親機および第２の居室親機双方に伝送線路を介して接続され、居室親機のそれぞれへの呼び出しを行うための第１、第２の各呼出回路をそれぞれ有し、居室親機のそれぞれとの間で通話を成立させるための通話回路を共用した二世帯玄関子機とから構成されている。二世帯玄関子機は、第１の呼出回路にて行われる呼出操作により駆動される第１のリレーのセットコイルおよび第２のリレーのリセットコイルと、第２の呼出回路にて行われる呼出操作により駆動される第１のリレーのリセットコイルおよび第２のリレーのセットコイルと、第１の呼出回路にて呼出操作が行われ第１のリレーのセットコイルが駆動したとき、第１の呼出回路側の居室親機と通話回路とを接続させるとともに、第２の呼出回路にて呼出操作が行われ第２のリレーのセットコイルが駆動したとき、第１の呼出回路側の居室親機と通話回路との接続を切断するために切り替えられる第１のリレーの第１接点と、第２の呼出回路にて呼出操作が行われ第２のリレーのセットコイルが駆動したとき、第２の呼出回路側の居室親機と通話回路とを接続させるとともに、第１の呼出回路にて呼出操作が行われ第１のリレーのセットコイルが駆動したとき、第２の呼出回路側の居室親機と通話回路との接続を切断するために切り替えられる第１のリレーの第２接点と、第１の呼出回路にて呼出操作が行われ第２のリレーのリセットコイルが駆動したとき、第１の呼出回路側の居室親機と通話回路とを接続させるとともに、第２の呼出回路にて呼出操作が行われ第１のリレーのリセットコイルが駆動したとき、第１の呼出回路側の居室親機と通話回路との接続を切断するために切り替えられる第２のリレーの第１接点と、第２の呼出回路にて呼出操作が行われ第１のリレーのリセットコイルが駆動したとき、第２の呼出回路側の居室親機と通話回路とを接続させるとともに、第１の呼出回路にて呼出操作が行われ第２のリレーのリセットコイルが駆動したとき、第２の呼出回路側の居室親機と通話回路との接続を切断するために切り替えられる第２のリレーの第２接点とを備え、第１のリレーの第１接点および第１のリレーの第２接点を通話回路の一端に接続し、第２のリレーの第１接点および第２のリレーの第２接点を通話回路の他端に接続することにより、伝送線路の無極性化を可能にしたものである。
【発明の効果】
【０００８】
本発明のインターホン装置によれば、二世帯玄関子機の第１、第２の各呼出回路のうち、第１の呼出回路にて第１の居室親機を呼び出すための呼出操作が行われると、第１のリレーのセットコイルの駆動により切り替えられる第１のリレーの第１接点が通話回路の一端に接続されるばかりでなく第１のリレーの第２接点と通話回路の一端との接続が切断されるとともに、第２のリレーのリセットコイルの駆動により切り替えられる第２のリレーの第１接点が通話回路の他端に接続されるばかりでなく第２のリレーの第２接点と通話回路の他端との接続が切断されることから、この通話回路に接続されたマイクおよびスピーカと２線からなる伝送線路を介して呼出先である第１の居室親機の送受話機能との間の通話ラインが形成され通話を成立させることができる。一方、第２の呼出回路にて第２の居室親機を呼び出すための呼出操作が行われると、第１のリレーのリセットコイルの駆動により切り替えられる第１のリレーの第２接点が通話回路の一端に接続されるばかりでなく第１のリレーの第１接点と通話回路の一端との接続が切断されるとともに、第２のリレーのセットコイルの駆動により切り替えられる第２のリレーの第２接点が通話回路の他端に接続されるばかりでなく第２のリレーの第１接点と通話回路の他端との接続が切断されることから、この通話回路に接続されたマイクおよびスピーカと２線からなる伝送線路を介して呼出先である第２の居室親機の送受話機能との間の通話ラインが形成され通話を成立させることができる。これにより、２線からなる別個の伝送線路によりそれぞれ接続される二世帯玄関子機および第１の居室親機の間、二世帯玄関子機および第２の居室親機の間が無極性化となり、極性に関係なく呼び出し、通話の動作を行うことができる。
【発明を実施するための最良の形態】
【０００９】
以下、本発明のインターホン装置を適用した最良の実施の形態例について、図面を参照して説明する。
【００１０】
図１は、本発明の実施例によるインターホン装置の具体的な構成を示す回路ブロック図である。
【００１１】
図１の回路ブロック図に示すインターホン装置は、第１世帯、例えば、親世帯に設置される第１の居室親機１と、第２世帯、例えば、子世帯に設置される第２の居室親機２と、第１世帯および第２世帯の共用部、例えば、共用玄関に設置され、来訪者が２線からなる伝送線路（以下、第１、第２の各伝送線路という。）Ｌ1、Ｌ2を介してそれぞれ接続される第１の居室親機１および第２の居室親機２のうち何れか１の居室親機を呼び出して通話を成立させるための二世帯玄関子機３とから構成されている。
【００１２】
図１の回路ブロック図において、二世帯玄関子機３は、第１の伝送線路Ｌ1を構成する一方のラインＬ1a、他方のラインＬ1bがそれぞれ接続された第１の子機端子Ｔ1、第２の子機端子Ｔ2と、第２の伝送線路Ｌ2を構成する一方のラインＬ2a、他方のラインＬ2bがそれぞれ接続された第３の子機端子Ｔ3、第４の子機端子Ｔ4と、共用玄関に居る来訪者が第１世帯内に在室中の居住者を呼び出すための操作（呼出操作）を行う第１の呼出回路３００と、同様に来訪者が第２世帯内に在室中の居住者を呼び出すための操作（呼出操作）を行う第２の呼出回路３０１と、第１の呼出回路３００にて呼出操作が行われる、すなわち、第１の呼出スイッチ３００ａがオン状態となることにより電流が流れ駆動される第１のリレーのセットコイル３０２ａおよび第２のリレーのリセットコイル３０３ｂと、第２の呼出回路３０１にて呼出操作が行われる、すなわち、第２の呼出スイッチ３０１ａがオン状態となることにより電流が流れ駆動される第１のリレーのリセットコイル３０２ｂおよび第２のリレーのセットコイル３０３ａと、第１の呼出回路３００にて呼出操作を行うことが可能な旨等を点灯表示または点滅表示するための第１の表示灯回路３０６と、第２の呼出回路３０１にて呼出操作を行うことが可能な旨等を点灯表示または点滅表示するための第２の表示灯回路３０７と、第１の呼出回路３００または第２の呼出回路３０１にて呼出操作を行った来訪者が呼出先である居住者との間で通話を成立させるための音声（送話音、受話音）を入出力するマイク３０８およびスピーカ３０９と、第１の呼出回路３００または第２の呼出回路３０１にて呼出操作を行った来訪者の映像（共用玄関の周囲近傍の映像を含む。）を撮像するためのＣＣＤ（Charge Coupled Device）撮像素子、ＣＭＯＳ（Complementary Metal Oxide Semiconductor）撮像素子等のカメラ３１０と、マイク３０８およびスピーカ３０９にて入出力される音声を信号処理、例えば、４線／２線変換および２線／４線変換するための通話回路３１１と、カメラ３１０にて撮像された映像を信号処理、例えば、ＦＭ（Frequency Modulation）変調するための映像処理回路３１２と、交流側の一方が第１の子機端子Ｔ1に、交流側の他方が第２の子機端子Ｔ2に、（＋）側が第１の呼出回路３００を構成する第１の呼出スイッチ３００ａの一端および第１の表示灯回路３０６の一端に、（−）側が第１の表示灯回路３０６の他端および基準電位点にそれぞれ接続されており、第１の居室親機１から供給されてくる電流を整流するための第１の整流ブリッジ３１３と、交流側の一方が第３の子機端子Ｔ3に、交流側の他方が第４の子機端子Ｔ4に、（＋）側が第２の呼出回路３０１を構成する第２の呼出スイッチ３０１ａの一端および第２の表示灯回路３０７の一端に、（−）側が第２の表示灯回路３０７の他端および基準電位点にそれぞれ接続されており、第２の居室親機２から供給されてくる電流を整流するための第２の整流ブリッジ３１４と、第１の呼出回路３００にて呼出操作が行われ第１のリレーのセットコイル３０２ａが駆動したときには、第１の呼出回路３００側の居室親機、ここでは、第１の居室親機１と第１の伝送線路Ｌ1を構成する一方のラインＬ1a、第１の子機端子Ｔ1を介して通話回路３１１および映像処理回路３１２とを接続させるとともに、第２の呼出回路３０１にて呼出操作が行われ第２のリレーのセットコイル３０３ａが駆動したときには、前述の第１の居室親機１と通話回路３１１および映像処理回路３１２との接続を切断するために切り替えられる第１のリレーの第１接点３０２ｃと、第２の呼出回路３０１にて呼出操作が行われ第２のリレーのセットコイル３０３ａが駆動したときには、第２の呼出回路３０１側の居室親機、ここでは、第２の居室親機２と第２の伝送線路Ｌ2を構成する一方のラインＬ2a、第３の子機端子Ｔ3を介して通話回路３１１および映像処理回路３１２とを接続させるとともに、第１の呼出回路３００にて呼出操作が行われ第１のリレーのセットコイル３０２ａが駆動したときには、前述の第２の居室親機２と通話回路３１１および映像処理回路３１２との接続を切断するために切り替えられる第１のリレーの第２接点３０２ｄと、第１の呼出回路３００にて呼出操作が行われ第２のリレーのリセットコイル３０３ｂが駆動したときには、第１の呼出回路３００側の居室親機である前述の第１の居室親機１と第１の伝送線路Ｌ1を構成する他方のラインＬ1b、第２の子機端子Ｔ2を介して通話回路３１１および映像処理回路３１２とを接続させるとともに、第２の呼出回路３０１にて呼出操作が行われ第１のリレーのリセットコイル３０２ｂが駆動したときには、前述の第１の居室親機１と通話回路３１１および映像処理回路３１２との接続を切断するために切り替えられる第２のリレーの第１接点３０３ｃと、第２の呼出回路３０１にて呼出操作が行われ第１のリレーのリセットコイル３０２ｂが駆動したときには、第２の呼出回路３０１側の居室親機である前述の第２の居室親機２と第２の伝送線路Ｌ2を構成する他方のラインＬ2b、第４の子機端子Ｔ4を介して通話回路３１１および映像処理回路３１２とを接続させるとともに、第１の呼出回路３００にて呼出操作が行われ第２のリレーのリセットコイル３０３ｂが駆動したときには、前述の第２の居室親機２と通話回路３１１および映像処理回路３１２との接続を切断するために切り替えられる第２のリレーの第２接点３０３ｄと、第１のリレーの第１接点３０２ｃを構成するリセット側Ｐ1b、第２のリレーの第１接点３０３ｃを構成するセット側Ｐ3aに一端、他端がそれぞれ接続された第１のダミー回路３１９と、第１のリレーの第２接点３０２ｄを構成するセット側Ｐ2a、第２のリレーの第２接点３０３ｄを構成するリセット側Ｐ4bに一端、他端がそれぞれ接続された第２のダミー回路３２０とが備えられている。
【００１３】
なお、二世帯玄関子機３において、第１のリレーの第１接点３０２ｃを構成するセット側Ｐ1aは、通話回路３１１の一端、映像処理回路３１２の一端および第１のリレーの第２接点３０２ｄを構成するリセット側Ｐ2bにそれぞれ接続されており、第１のリレーの第１接点３０２ｃを構成するコモン側Ｐ1cは、第１の子機端子Ｔ1および第１の整流ブリッジ３１３の整流側の一方の間に接続されている。
【００１４】
また、二世帯玄関子機３において、第２のリレーの第１接点３０３ｃを構成するリセット側Ｐ3bは、通話回路３１１の他端、映像処理回路３１２の他端および第２のリレーの第２接点３０３ｄを構成するセット側Ｐ4aにそれぞれ接続されており、第２のリレーの第１接点３０３ｃを構成するコモン側Ｐ3cは、第２の子機端子Ｔ2および第１の整流ブリッジ３１３の整流側の他方の間に接続されている。
【００１５】
また、二世帯玄関子機３において、第１のリレーの第２接点３０２ｄを構成するコモン側Ｐ2cは、第３の子機端子Ｔ3および第２の整流ブリッジ３１４の整流側の一方の間に接続されている。
【００１６】
さらに、二世帯玄関子機３において、第２のリレーの第２接点３０３ｄを構成するコモン側Ｐ4cは、第４の子機端子Ｔ4および第２の整流ブリッジ３１４の整流側の他方の間に接続されている。
【００１７】
このように構成された本発明の実施例によるインターホン装置において、以下、具体的な動作について説明する。
【００１８】
図１の回路ブロック図に示す二世帯玄関子機３が待受状態、例えば、二世帯玄関子機３の第１の呼出回路３００および第２の呼出回路３０１のうち何れか１の呼出回路も共用玄関に居る来訪者により呼出操作が行われていない状態、すなわち、第１、第２の各呼出スイッチ３００ａ、３０１ａがそれぞれオフ状態である場合、第１のリレーのセットコイル３０２ａおよびリセットコイル３０２ｂ、第２のリレーのセットコイル３０３ａおよびリセットコイル３０３ｂはそれぞれ駆動しておらず、この状態において、第１のリレーの第１接点３０２ｃおよび第２接点３０２ｄ、第２のリレーの第１接点３０３ｃおよび第２接点３０３ｄは、第１の呼出回路３００の第１の呼出スイッチ３００ａおよび第２の呼出回路３０１の第２の呼出スイッチ３０１ａのうち前回の呼出操作の有無に対応してオン／オフ切り替わる何れか一方の当該呼出スイッチの状態に起因してセット側、或いはリセット側が閉成されている。ここでは、前回の呼出操作として第２の呼出回路３０１の第２の呼出スイッチ３０１ａがオン状態となるような呼出操作が行われていたものとし、第１のリレーの第１接点３０２ｃを構成するリセット側Ｐ1b、第１のリレーの第２接点３０２ｄを構成するリセット側Ｐ2b、第２のリレーの第１接点３０３ｃを構成するセット側Ｐ3aおよび第２のリレーの第２接点３０３ｄを構成するセット側Ｐ4aがそれぞれ閉成されている。これにより、第１の子機端子Ｔ1には、第１の整流ブリッジ３１３の整流側の一方と第１のダミー回路３１９の一端とがそれぞれ接続され、第２の子機端子Ｔ2には、第１の整流ブリッジ３１３の整流側の他方と第１のダミー回路３１９の他端とがそれぞれ接続されることになる。また、第３の子機端子Ｔ3には、第２の整流ブリッジ３１４の整流側の一方と通話回路３１１の一端および映像処理回路３１２の一端とがそれぞれ接続され、第４の子機端子Ｔ4には、第２の整流ブリッジ３１４の整流側の他方と通話回路３１１の他端および映像処理回路３１２の他端とがそれぞれ接続されることになる。
【００１９】
前述のような待受状態（以下、第１の待受状態という。）において、第１の居室親機１から供給されてくる電流は、第１の伝送線路Ｌ1を構成する一方のラインＬ1aを介して二世帯玄関子機３の第１の子機端子Ｔ1にて受電される。この電流は、第１のリレーの第１接点３０２ｃを構成するコモン側Ｐ1c、閉成されているリセット側Ｐ1bを介して第１のダミー回路３１９の一端へと印加され、当該第１のダミー回路の作用により第１、第２の各子機端子Ｔ1、Ｔ2の間のインピーダンスの整合がとられるとともに、第１の整流ブリッジ３１３の整流側の一方に印加される。第１の整流ブリッジ３１３は、整流側の一方に印加された電流を整流させた後、（＋）側から出力することにより、この電流は、第１の表示灯回路３０６の動作電源となる。
【００２０】
また、前述のような第１の待受状態において、第２の居室親機２から供給されてくる電流は、第２の伝送線路Ｌ2を構成する一方のラインＬ2aを介して二世帯玄関子機３の第３の子機端子Ｔ3にて受電される。この電流は、第１のリレーの第２接点３０２ｄを構成するコモン側Ｐ2c、閉成されているリセット側Ｐ2bを介して通話回路３１１の一端および映像処理回路３１２の一端へとそれぞれ印加され当該通話回路および映像処理回路の動作電源となるばかりでなく、第２の整流ブリッジ３１４の整流側の一方に印加される。第２の整流ブリッジ３１４は、整流側の一方に印加された電流を整流させた後、（＋）側から出力することにより、この電流は、第２の表示灯回路３０７の動作電源となる。
【００２１】
次に、前述のような第１の待受状態において、第１世帯内に在室中の居住者および第２世帯内に在室中の居住者のうち、ここでは、第１世帯内に在室中の居住者を呼び出して通話を成立させるため、共用玄関に居る来訪者が第１の呼出回路３００の第１の呼出スイッチ３００ａがオン状態となるような呼出操作を行うと、第１の伝送線路Ｌ1を構成する一方のラインＬ1a、他方のラインＬ1bの２線の間に予め重畳されている第１の居室親機１からの給電による電源の電圧レベルが降下し、この電圧降下を検出した第１の居室親機１にて所定の呼出報知（詳述せず）が行われるとともに、第１の整流ブリッジ３１３の（＋）側から出力された電流がオン状態の第１の呼出スイッチ３００ａを介して第１のリレーのセットコイル３０２ａおよび第２のリレーのリセットコイル３０３ｂへとそれぞれ流れ込み、当該第１のリレーのセットコイルおよび第２のリレーのリセットコイルが同時のタイミングで駆動される。
【００２２】
前述のように同時のタイミングで駆動された二世帯玄関子機３を構成する第１のリレーのセットコイル３０２ａおよび第２のリレーのリセットコイル３０３ｂのうち、先ず、第１のリレーのセットコイル３０２ａが駆動すると、第１のリレーの第１接点３０２ｃを構成する（予め）閉成されていたリセット側Ｐ1bが開成しセット側Ｐ1aが閉成されるとともに、第１のリレーの第２接点３０２ｄを構成する（予め）閉成されていたリセット側Ｐ2bが開成しセット側Ｐ2aが閉成される。一方、第２のリレーのリセットコイル３０３ｂが駆動すると、第２のリレーの第１接点３０３ｃを構成する（予め）閉成されていたセット側Ｐ3aが開成しリセット側Ｐ3bが閉成されるとともに、第２のリレーの第２接点３０３ｄを構成する（予め）閉成されていたセット側Ｐ4aが開成しリセット側Ｐ4bが閉成される。この切替動作により、第１の子機端子Ｔ1にて受電された電流、すなわち、第１の居室親機１から供給されてくる電流は、第１のダミー回路３１９の一端へは印加されず、第１のリレーの第１接点３０２ｃを構成するコモン側Ｐ1c、閉成されたセット側Ｐ1aを介して通話回路３１１の一端および映像処理回路３１２の一端へとそれぞれ印加されるばかりでなく、第１の居室親機１から第１の伝送線路Ｌ1を構成する一方のラインＬ1a、第１の子機端子Ｔ1、第１のリレーの第１接点３０２ｃを構成するコモン側Ｐ1c、閉成されたセット側Ｐ1a、通話回路３１１の一端および映像処理回路３１２の一端、当該通話回路の他端および当該映像処理回路の他端、第２のリレーの第１接点３０３ｃを構成する閉成されたリセット側Ｐ3b、コモン側Ｐ3c、第２の子機端子Ｔ2、第１の伝送線路Ｌ1を構成する他方のラインＬ1bを介して第１の居室親機１（の基準電位点）までの電源供給ライン（以下、第１の電源供給ラインという。）が形成される。
【００２３】
また、前述のような第１の電源供給ラインが形成されると、第１世帯内に在室中の居住者が使用する第１の居室親機１の送話機能（詳述せず）から第１の伝送線路Ｌ1を構成する一方のラインＬ1a、二世帯玄関子機３の第１の子機端子Ｔ1、第１のリレーの第１接点３０２ｃを構成するコモン側Ｐ1c、閉成されたセット側Ｐ1aを介して通話回路３１１の一端、当該通話回路を介してスピーカ３０９までの通話ライン（以下、第１の通話ラインという。）と、共用玄関に居る来訪者が使用する二世帯玄関子機３のマイク３０８から前述の第１の通話ラインと逆の経路を介して第１の居室親機１の受話機能（詳述せず）までの通話ライン（以下、第２の通話ラインという。）とがそれぞれ形成され、これら形成された第１、第２の各通話ラインを介して音声信号を送受信させることにより通話を成立させることができる。
【００２４】
さらに、前述のような第１の電源供給ラインが形成されると、二世帯玄関子機３のカメラ３１０にて撮像された映像であり映像処理回路３１２を介してＦＭ変調された映像信号が当該映像処理回路の一端、第１のリレーの第１接点３０２ｃを構成する閉成されたセット側Ｐ1a、コモン側Ｐ1c、第１の子機端子Ｔ1、第１の伝送線路Ｌ1を構成する一方のラインＬ1bを介して第１の居室親機１の映像出画機能（詳述せず）へと伝送されることにより、第１の居室親機１では、二世帯玄関子機３のカメラ３１０にて撮像された映像、例えば、第１の呼出回路３００にて呼出操作を行った来訪者（共用玄関の周囲近傍の映像を含む。）の映像を出画させることができ、第１世帯内に在室中の居住者にとっては、来訪者の映像を確認しながら通話を成立させることができる。
【００２５】
なお、前述のような第１の電源供給ラインが形成された場合において、二世帯玄関子機３の第１のリレーの第２接点３０２ｄを構成するコモン側Ｐ2cは、第１のリレーのセットコイル３０３ａの作用により閉成されたセット側Ｐ2aを介して第２のダミー回路３２０の一端に接続され、第２のリレーの第２接点３０３ｄを構成するコモン側Ｐ4cについても、第２のリレーのリセットコイル３０３ｂの作用により閉成されたリセット側Ｐ4bを介して第２のダミー回路３２０の他端に接続されることから、通話回路３１１の一端、他端および映像処理回路３１２の一端、他端が第３、第４の各子機端子Ｔ3、Ｔ4にそれぞれ接続されることはない。これにより、二世帯玄関子機３のマイク３０８に入力された音声やカメラ３１０にて撮像された映像が第２の居室親機２へと伝送されることはなく、第２の居室親機２の送話機能（詳述せず）に音声が入力された場合においても、この音声が二世帯玄関子機３のスピーカ３０９から出力されることはない。
【００２６】
次に、前述のような共用玄関に居る来訪者から第１世帯内に在室中の居住者への呼び出しが行われた後、図１の回路ブロック図に示す二世帯玄関子機３が待受状態（以下、第２の待受状態という。）に復旧されると、例えば、二世帯玄関子機３の第１の呼出回路３００および第２の呼出回路３０１のうち何れか１の呼出回路も共用玄関に居る来訪者により呼出操作が行われていない状態、すなわち、第１、第２の各呼出スイッチ３００ａ、３０１ａがそれぞれオフ状態である場合において、第１のリレーのセットコイル３０２ａおよびリセットコイル３０２ｂ、第２のリレーのセットコイル３０３ａおよびリセットコイル３０３ｂはそれぞれ駆動しておらず、前回の呼出操作である第１の呼出回路３００の第１の呼出スイッチ３００ａがオン状態であったことに起因して、第１のリレーの第１接点３０２ｃを構成するセット側Ｐ1a、第１のリレーの第２接点３０２ｄを構成するセット側Ｐ2a、第２のリレーの第１接点３０３ｃを構成するリセット側Ｐ3bおよび第２のリレーの第２接点３０３ｄを構成するリセット側Ｐ4bがそれぞれ閉成されている。これにより、第１の子機端子Ｔ1には、第１の整流ブリッジ３１３の整流側の一方と通話回路３１１の一端および映像処理回路３１２の一端とがそれぞれ接続され、第２の子機端子Ｔ2には、第１の整流ブリッジ３１３の整流側の他方と通話回路３１１の他端および映像処理回路３１２の他端とがそれぞれ接続されることになる。また、第３の子機端子Ｔ3には、第２の整流ブリッジ３１４の整流側の一方と第２のダミー回路３２０の一端とがそれぞれ接続され、第４の子機端子Ｔ4には、第２の整流ブリッジ３１４の整流側の他方と第２のダミー回路３２０の他端とがそれぞれ接続されることになる。
【００２７】
前述のような第２の待受状態において、第１の居室親機１から供給されてくる電流は、第１の伝送線路Ｌ1を構成する一方のラインＬ1aを介して二世帯玄関子機３の第１の子機端子Ｔ1にて受電される。この電流は、第１のリレーの第１接点３０２ｃを構成するコモン側Ｐ1c、閉成されているセット側Ｐ1aを介して通話回路３１１の一端および映像処理回路３１２の一端へとそれぞれ印加され当該通話回路および映像処理回路の動作電源となるばかりでなく、第１の整流ブリッジ３１３の整流側の一方に印加される。第３の整流ブリッジ３１３は、整流側の一方に印加された電流を整流させた後、（＋）側から出力することにより、この電流は、第１の表示灯回路３０６の動作電源となる。
【００２８】
また、前述のような第２の待受状態において、第２の居室親機２から供給されてくる電流は、第２の伝送線路Ｌ2を構成する一方のラインＬ2aを介して二世帯玄関子機３の第３の子機端子Ｔ3にて受電される。この電流は、第１のリレーの第２接点３０２ｄを構成するコモン側Ｐ2c、閉成されているセット側Ｐ2aを介して第２のダミー回路３２０の一端へと印加され、当該第２のダミー回路の作用により第３、第４の各子機端子Ｔ3、Ｔ4の間のインピーダンスの整合がとられるとともに、第２の整流ブリッジ３１４の整流側の一方に印加される。第２の整流ブリッジ３１４は、整流側の一方に印加された電流を整流させた後、（＋）側から出力することにより、この電流は、第２の表示灯回路３０７の動作電源となる。
【００２９】
次に、前述のような第２の待受状態において、第１世帯内に在室中の居住者および第２世帯内に在室中の居住者のうち、ここでは、第２世帯内に在室中の居住者を呼び出して通話を成立させるため、共用玄関に居る来訪者が第２の呼出回路３０１の第２の呼出スイッチ３０１ａがオン状態となるような呼出操作を行うと、第２の伝送線路Ｌ2を構成する一方のラインＬ2a、他方のラインＬ2bの２線の間に予め重畳されている第２の居室親機２からの給電による電源の電圧レベルが降下し、この電圧降下を検出した第２の居室親機２にて所定の呼出報知（詳述せず）が行われるとともに、第２の整流ブリッジ３１４の（＋）側から出力された電流がオン状態の第２の呼出スイッチ３０１ａを介して第１のリレーのリセットコイル３０２ｂおよび第２のリレーのセットコイル３０３ａへとそれぞれ流れ込み、当該第１のリレーのリセットコイルおよび第２のリレーのセットコイルが同時のタイミングで駆動される。
【００３０】
前述のように同時のタイミングで駆動された二世帯玄関子機３を構成する第１のリレーのリセットコイル３０２ｂおよび第２のリレーのセットコイル３０３ａのうち、先ず、第１のリレーのリセットコイル３０２ｂが駆動すると、第１のリレーの第２接点３０２ｄを構成する（予め）閉成されていたセット側Ｐ2aが開成しリセット側Ｐ2bが閉成されるとともに、第１のリレーの第１接点３０２ｃを構成する（予め）閉成されていたセット側Ｐ1aが開成しリセット側Ｐ1bが閉成される。一方、第２のリレーのセットコイル３０３ａが駆動すると、第２のリレーの第２接点３０３ｄを構成する（予め）閉成されていたリセット側Ｐ4bが開成しセット側Ｐ4aが閉成されるとともに、第２のリレーの第１接点３０３ｃを構成する（予め）閉成されていたリセット側Ｐ3bが開成しセット側Ｐ3aが閉成される。この切替動作により、第３の子機端子Ｔ3にて受電された電流、すなわち、第２の居室親機２から供給されてくる電流は、第２のダミー回路３２０の一端へは印加されず、第１のリレーの第２接点３０２ｄを構成するコモン側Ｐ2c、閉成されたリセット側Ｐ2bを介して通話回路３１１の一端および映像処理回路３１２の一端へとそれぞれ印加されるばかりでなく、第２の居室親機２から第２の伝送線路Ｌ2を構成する一方のラインＬ2a、第３の子機端子Ｔ3、第１のリレーの第２接点３０２ｄを構成するコモン側Ｐ2c、閉成されたリセット側Ｐ2b、通話回路３１１の一端および映像処理回路３１２の一端、当該通話回路の他端および当該映像処理回路の他端、第２のリレーの第２接点３０３ｄを構成する閉成されたセット側Ｐ4a、コモン側Ｐ4c、第４の子機端子Ｔ4、第２の伝送線路Ｌ2を構成する他方のラインＬ2bを介して第２の居室親機２（の基準電位点）までの電源供給ライン（以下、第２の電源供給ラインという。）が形成される。
【００３１】
また、前述のような第２の電源供給ラインが形成されると、第２世帯内に在室中の居住者が使用する第２の居室親機２の送話機能（詳述せず）から第２の伝送線路Ｌ2を構成する一方のラインＬ2a、二世帯玄関子機３の第３の子機端子Ｔ3、第１のリレーの第２接点３０２ｄを構成するコモン側Ｐ2c、閉成されたリセット側Ｐ2bを介して通話回路３１１の一端、当該通話回路を介してスピーカ３０９までの通話ライン（以下、第３の通話ラインという。）と、共用玄関に居る来訪者が使用する二世帯玄関子機３のマイク３０８から前述の第３の通話ラインと逆の経路を介して第２の居室親機２の受話機能（詳述せず）までの通話ライン（以下、第４の通話ラインという。）とがそれぞれ形成され、これら形成された第３、第４の各通話ラインを介して音声信号を送受信させることにより通話を成立させることができる。
【００３２】
さらに、前述のような第２の電源供給ラインが形成されると、二世帯玄関子機３のカメラ３１０にて撮像された映像であり映像処理回路３１２を介してＦＭ変調された映像信号が当該映像処理回路の一端、第１のリレーの第２接点３０２ｄを構成する閉成されたリセット側Ｐ2b、コモン側Ｐ2c、第３の子機端子Ｔ3、第２の伝送線路Ｌ2を構成する一方のラインＬ2aを介して第２の居室親機２の映像出画機能（詳述せず）へと伝送されることにより、第２の居室親機２では、二世帯玄関子機３のカメラ３１０にて撮像された映像、例えば、第２の呼出回路３０１にて呼出操作を行った来訪者（共用玄関の周囲近傍の映像を含む。）の映像を出画させることができ、第２世帯内に在室中の居住者にとっては、来訪者の映像を確認しながら通話を成立させることができる。
【００３３】
なお、前述のような第２の電源供給ラインが形成された場合において、二世帯玄関子機３の第１のリレーの第１接点３０２ｃを構成するコモン側Ｐ1cは、第１のリレーのリセットコイル３０２ａの作用により閉成されたリセット側Ｐ1bを介して第１のダミー回路３１９の一端に接続され、第２のリレーの第１接点３０３ｃを構成するコモン側Ｐ3cについても、第２のリレーのセットコイル３０３ａの作用により閉成されたセット側Ｐ3aを介して第１のダミー回路３１９の他端に接続されることから、通話回路３１１の一端、他端および映像処理回路３１２の一端、他端が第１、第２の各子機端子Ｔ1、Ｔ2にそれぞれ接続されることはない。これにより、二世帯玄関子機３のマイク３０８に入力された音声やカメラ３１０にて撮像された映像が第１の居室親機１へと伝送されることはなく、第１の居室親機１の送話機能（詳述せず）に音声が入力された場合についても、この音声が二世帯玄関子機３のスピーカ３０９から出力されることはない。
【００３４】
また、輸送等により二世帯玄関子機３へと衝撃が加わり、例えば、第１のリレーの第１接点３０２ｃを構成するセット側Ｐ1a、第１のリレーの第２接点３０２ｄを構成するセット側Ｐ2a、第２のリレーの第１接点３０３ｃを構成するセット側Ｐ3aおよび第２のリレーの第２接点３０３ｄを構成するセット側Ｐ4aがそれぞれ誤作動（以下、第１の誤作動という。）によって閉成された場合や、第１のリレーの第１接点３０２ｃを構成するリセット側３１５ｂ、第１のリレーの第２接点３０２ｄを構成するリセット側Ｐ2b、第２のリレーの第１接点３０３ｃを構成するリセット側Ｐ3bおよび第２のリレーの第２接点３０３ｄを構成するリセット側Ｐ4bがそれぞれ誤作動（以下、第２の誤作動という。）によって閉成された場合において、先ず、第１の誤作動が発生したときに通話回路３１１（および映像処理回路３１２）に接続される当該子機端子は第１、第４の各子機端子Ｔ1、Ｔ4の２端子である一方、第２の誤作動が発生したときでも通話回路３１１（および映像処理回路３１２）に接続される当該子機端子は第２、第３の各子機端子Ｔ2、Ｔ3の２端子であるため、前述の２端子以上の当該子機端子が同時のタイミングで通話回路３１１（および映像処理回路３１２）に接続されることはなく、ゆえに当該通話回路（および映像処理回路）に異常電流が流れ込む可能性を低く抑えることができる。
【００３５】
さらに、前述のような第１または第２の誤作動が発生しているとき、第１の居室親機１および第２の居室親機２は、それぞれ二世帯玄関子機３の第１、第２の各ダミー回路３１９、３２０、通話回路３１１および映像処理回路３１２の何れにも接続されていない一方、第１、第２の各呼出回路３００、３０１にはそれぞれ接続されているため、何れか１の呼出回路にて呼出操作が行われることにより、第１のリレーの第１接点３０２ｃおよび第２接点３０２ｄ、第２のリレーの第１接点３０３ｃおよび第２接点３０３ｄを前述のように切り替えることができる。
【００３６】
前述の説明から明らかなように、本発明の実施例によれば、二世帯玄関子機３の第１、第２の各呼出回路３００、３０１のうち、第１の呼出回路３００にて第１の居室親機１を呼び出すための呼出操作が行われると、第１のリレーのセットコイル３０２ａの駆動により切り替えられる第１のリレーの第１接点３０２ｃが通話回路３１１の一端に接続されるばかりでなく第１のリレーの第２接点３０２ｄと通話回路３１１の一端との接続が切断されるとともに、第２のリレーのリセットコイル３０３ｂの駆動により切り替えられる第２のリレーの第１接点３０３ｃが通話回路３１１の他端に接続されるばかりでなく第２のリレーの第２接点３０３ｄと通話回路３１１の他端との接続が切断されることから、この通話回路３１１に接続されたマイク３０８およびスピーカ３０９と２線からなる第１の伝送線路Ｌ1を介して呼出先である第１の居室親機１の送受話機能との間の通話ラインが形成され通話を成立させることができる。一方、第２の呼出回路３０１にて第２の居室親機２を呼び出すための呼出操作が行われると、第１のリレーのリセットコイル３０２ｂの駆動により切り替えられる第１のリレーの第２接点３０２ｄが通話回路３１１の一端に接続されるばかりでなく第１のリレーの第１接点３０２ｃと通話回路３１１の一端との接続が切断されるとともに、第２のリレーのセットコイル３０３ａの駆動により切り替えられる第２のリレーの第２接点３０３ｄが通話回路３１１の他端に接続されるばかりでなく第２のリレーの第１接点３０３ｃと通話回路３１１の他端との接続が切断されることから、この通話回路３１１に接続されたマイク３０８およびスピーカ３０９と２線からなる第２の伝送線路Ｌ2を介して呼出先である第２の居室親機２の送受話機能との間の通話ラインが形成され通話を成立させることができる。これにより、２線からなる別個の第１、第２の各伝送線路Ｌ1、Ｌ2によりそれぞれ接続される二世帯玄関子機３および第１の居室親機１の間、二世帯玄関子機３および第２の居室親機２の間が無極性化となり、極性に関係なく呼び出し、通話の動作を行うことができる。
【００３７】
また、本発明の実施例によれば、第１世帯に設置される第１の居室親機１および第２世帯に設置される第２の居室親機２のうち何れか１の居室親機を呼び出して通話を成立させるための二世帯玄関子機として、呼出操作を行った共用玄関に居る来訪者の映像（共用玄関の周囲近傍の映像を含む。）を撮像するためのカメラ３１０および撮像された映像を信号処理、例えば、ＦＭ変調するための映像処理回路３１２を備えた二世帯玄関子機３を適用したが、これら映像撮像機能および信号処理機能が備えられていない当該二世帯玄関子機も好適とされ、前述と同様な効果を奏する。
【図面の簡単な説明】
【００３８】
【図１】本発明の実施例によるインターホン装置の具体的な構成を示す回路ブロック図。
【図２】従来例である二世帯用ドアホン装置の具体的な構成を示す回路ブロック図。
【符号の説明】
【００３９】
１……第１の居室親機
２……第２の居室親機
３……二世帯玄関子機
３００……第１の呼出回路
３０１……第２の呼出回路
３０２ａ……第１のリレーのセットコイル
３０２ｂ……第１のリレーのリセットコイル
３０２ｃ……第１のリレーの第１接点
３０２ｄ……第１のリレーの第２接点
３０３ａ……第２のリレーのセットコイル
３０３ｂ……第２のリレーのリセットコイル
３０３ｃ……第２のリレーの第１接点
３０３ｄ……第２のリレーの第２接点
３１１……通話回路
【図１】
2006211516.tif 000003
【図２】
2006211516.tif 000004